(57)【要約】      （修正有）【課題】従来のエレベーターの個人認証及び制御システムにおいては、その利用者のサービスは一つの建物内に設置されているエレベーターを対象とし、複数のエレベーターに対して制御するシステムにおいては、エレベーターを制御するためのコンテンツ画面を携帯端末に表示し、制御する手段をその画面上に情報として入力し、サーバー経由で制御するエレベーターに送信する手間も時間も掛かるという課題があった。【解決手段】エレベーター利用者が携帯可能で、その利用者を特定するための個人ＩＤ情報を記録するＩＤ記録媒体６００と、ＩＤ記録媒体６００の記録情報により各建物のエレベーターを制御する制御装置とを有するエレベーター制御システムにおいて、ＩＤ記録媒体６００に各建物のエレベーター毎利用者の所望のサービス情報を記録することを特徴とするエレベーターの個人認証及び制御システム。【選択図】図１
2006232479.tif 000002
【特許請求の範囲】
【請求項１】
エレベーター利用者が携帯可能で、その利用者を特定するための個人ＩＤ情報を記録するＩＤ記録媒体と、前記ＩＤ記録媒体の記録情報により各建物のエレベーターを制御する制御装置とを有するエレベーター制御システムにおいて、前記ＩＤ記録媒体に各建物のエレベーター毎利用者の所望のサービス情報を記録することを特徴とするエレベーターの個人認証及び制御システム。
【請求項２】
エレベーター利用者が携帯可能で、その利用者を特定するための個人ＩＤ情報及び各建物のエレベーター毎利用者の所望のサービス情報を記録するＩＤ記録媒体と、前記ＩＤ記録媒体の記録情報により各建物のエレベーターを制御する制御装置とを有するエレベーター制御システムにおいて、前記ＩＤ記録媒体は、エレベーター利用者の身体的特徴情報を記録することを特徴とするエレベーターの個人認証及び制御システム。
【請求項３】
エレベーター利用者が携帯可能で、その利用者を特定するための個人ＩＤ情報及び各建物のエレベーター毎利用者の所望のサービス情報を記録するＩＤ記録媒体と、前記ＩＤ記録媒体の記録情報により各建物のエレベーターを制御する制御装置とを備えるエレベーター制御システムにおいて、通信回線を介してエレベーター利用者特定するための個人ＩＤ情報及び前記各建物のエレベーター毎に対する利用者の所望のサービス情報を送信する携帯端末と、前記制御装置は、前記携帯端末からの前記サービス情報を追加又は変更する情報を前記通信回線を介して記録する記憶部を有することを特徴とするエレベーターの個人認証及び制御システム。
【請求項４】
請求項１又は請求項３のエレベーターの個人認証及び制御システムにおいて、前記所望のサービス情報は、エレベーター利用者の身体的特徴情報を含むことを特徴とするエレベーターの個人認証及び制御システム。
【発明の詳細な説明】
【技術分野】
【０００１】
本発明は，ＩＤ記録媒体によりエレベーター利用者の個人認証及びエレベーター制御を行うシステムに関するものである。
【背景技術】
【０００２】
従来の磁気カード等でエレベーター利用者を特定し、利用者が望むエレベーターの制御をするシステムにおいては、一つの建物内に設置されたエレベーターを想定していた。
また，複数のエレベーターを制御するシステムでは，エレベーターの遠隔操作システムとして，特開２００２−６０１５２号公報に記載されているように、ネットワークに接続されているコンテンツサーバーにエレベーターの遠隔制御を行うための操作画面プログラムを登録しておき、遠隔操作の際、移動体電話機によってコンテンツサーバーにアクセスし、必要な遠隔操作画面プログラムをダウンロードしてディスプレイに表示し、画面指示に従ってボタン操作することによって、所望のエレベーターに所望の操作指令を入力し、エレベーターを制御するようにしたシステムが知られている（特許文献１参照）。
【０００３】
【特許文献１】特開２００２-６０１５２号公報
【発明の開示】
【発明が解決しようとする課題】
【０００４】
従来のエレベーターの個人認証及び制御システムにおいては、その利用者の個人サービスは一つの建物内に設置されているエレベーターを対象とし、複数のエレベーターに対して制御するシステムにおいては、エレベーターを制御するためのコンテンツ画面を携帯端末に表示し、制御する手段をその画面上に情報として入力し、サーバー経由で制御するエレベーターに送信するといった、手間も時間も掛かってしまうという課題があった。
【０００５】
本発明は、上記課題を解決するためにされたもので、その目的は、エレベーター利用者が携帯する利用者の個人を特定する磁気カードやＩＣカード等のＩＤ記録媒体の使用範囲が、一つの建物内に設置されているエレベーターに限定されないエレベーターの個人認証及び制御システムを提供することにある。
【課題を解決するための手段】
【０００６】
上記の課題を解決するために、本願の請求項１記載の発明は、エレベーター利用者が携帯可能で、その利用者を特定するための個人ＩＤ情報を記録するＩＤ記録媒体と、前記ＩＤ記録媒体の記録情報により各建物のエレベーターを制御する制御装置とを有するエレベーター制御システムにおいて、前記ＩＤ記録媒体に各建物のエレベーター毎利用者の所望のサービス情報を記録することを特徴とする。
【０００７】
また、本願の請求項２記載の発明は、エレベーター利用者が携帯可能で、その利用者を特定するための個人ＩＤ情報及び各建物のエレベーター毎利用者の所望のサービス情報を記録するＩＤ記録媒体と、前記ＩＤ記録媒体の記録情報により各建物のエレベーターを制御する制御装置とを有するエレベーター制御システムにおいて、前記ＩＤ記録媒体は、エレベーター利用者の身体的特徴情報を記録することを特徴とする。
【０００８】
また、本願の請求項３記載の発明は、エレベーター利用者が携帯可能で、その利用者を特定するための個人ＩＤ情報及び各建物のエレベーター毎利用者の所望のサービス情報を記録するＩＤ記録媒体と、前記ＩＤ記録媒体の記録情報により各建物のエレベーターを制御する制御装置とを備えるエレベーター制御システムにおいて、通信回線を介してエレベーター利用者特定するための個人ＩＤ情報及び前記各建物のエレベーター毎に対する利用者の所望のサービス情報を送信する携帯端末と、前記制御装置は、前記携帯端末からの前記サービス情報を追加又は変更する情報を前記通信回線を介して記録する記憶部を有することを特徴とする。
【０００９】
また、本願の請求項４記載の発明は、請求項１又は請求項３のエレベーターの個人認証及び制御システムにおいて、前記所望のサービス情報は、エレベーター利用者の身体的特徴情報を含むことを特徴とする。
【発明の効果】
【００１０】
本発明によれば，利用者を特定可能なＩＤ記録媒体を個人が一つ携帯していれば，その利用範囲が一つの建物内に設置されているエレベーターに限定されず，また各々の建物内に設置されているエレベーターに対し、そのＩＤ記録媒体に予め各建物のエレベーター毎利用者の所望のサービス内容を設定しておくことで、各々のサービスを提供することができる。
【発明を実施するための最良の形態】
【００１１】
以下、本発明の実施の形態を図面により説明する。
図１は、本発明の一実施例であるエレベーターの個人認証及び制御システムの全体構成を示す図、図２は、本発明の一実施例であるエレベーターに接続されるエレベーターの個人情報制御装置の内部構成及びエレベーターの制御部を示す図、図３は個人サービス情報管理装置の内部構成を示す図である。
【００１２】
図１において，100は、管制センタなどのサービス情報を受信及び配信する部署、建物で、個人サービス情報管理装置1000が設置されている。また、200、300及びn00は、エレベーターが設置されている建物で、201、301及びn01は、エレベーターの機械室で、202、302及びn02は、エレベーターの乗りかごである。
【００１３】
203、303及びn03は、エレベーターの乗り場や乗りかご内に設置してあるＩＤ情報読取り装置で、500はＩＤ記録媒体600を携帯するエレベーターの利用者（ユーザー）で、ユーザー500は同一のＩＤ記録媒体600に記録されている個人認証に必要なＩＤ情報及びそのユーザーの身体的特徴を含むユーザーの所望のエレベーターサービス情報を各々の読取り装置203、303又はn03に読み取らせることにより、各々の建物200、300又はn00に応じた各々のエレベーターのサービスを受ける。このＩＤ記録媒体600は、磁気カード又はＩＣカードから成っている。
【００１４】
また、管制センタ100の個人サービス情報管理装置1000からは、通信回線（公衆通信回線やネットワークを含む）を介して各種のサービス情報が各々の建物200、300又はn00の個人情報の制御装置2200に送信される。また、ユーザー（利用者）500は、携帯端末（携帯電話）1100により，サービスを受ける建物と受けるサービス内容の情報を個人のＩＤ情報と共に通信回線を介して管制センタ100の個人サービス情報管理装置1000に送信する。
【００１５】
図２において、エレベーターの機械室201内部にはエレベーターの個人情報制御部2200とエレベーター制御盤2100が設置されている。
前記個人情報制御部2200内部には、通信回線を介して送信されてくる各種サービス情報データ（エレベーター利用者のサービス情報及びそのサービス情報を追加又は変更する情報）を受信するデータ受信部2203と、前記データ受信部2203で受信したデータを格納する個人サービス記憶部2202及び一般サービス記憶部2205と、エレベーターの乗り場や乗りかご内に設置されているＩＤ情報読取り装置203より通信線204を介して送信されるＩＤ情報から個人を特定する。また、前記個人サービス記憶部2202又は一般サービス記憶部2205より特定した個人に対応したサービスを抽出する個人情報判定部2204と、前記個人情報判定部2204で抽出された個人サービス情報をエレベーター制御盤2100に信号線2001を介して送信する指令送信部2201とを有している。
【００１６】
また，エレベーター制御盤2100内部には，前記指令送信部2201から信号線2001を介して送信される個人サービス情報を受信する個人サービス制御部2102と、前記個人サービス制御部2102にて受信した個人サービス情報によりエレベーターを制御するエレベーター制御部2101とを有している。エレベーター乗り場や乗りかご内に設置されたＩＤ情報読取り装置203から送信された利用者を特定するＩＤ情報や所望のサービス情報により、そのＩＤ情報や所望のサービス情報に対応する各々のエレベーター制御を行う。
【００１７】
図３において，管制センタ100内部には、個人サービス情報管理装置1000が設置されている。前記個人サービス情報管理装置1000内部には、通信回線を介して送受信されるデータを制御するデータ送受信部1001と、携帯端末1100から通信網を介して送信される個人情報サービスを記憶するための処理を許可するための複数桁の暗証コードを解析する暗証コードチェック部1002と、前記暗証コードチェック部1002で一般公衆回線網またはネットワーク網を介して送信された複数桁の暗証コードが予め設定されている複数桁の数列と一致した場合に、前記暗証コード後に携帯端末1100から送信される個人サービス情報を記憶する個人サービス情報記憶部1004と、予め利用者個人が有するＩＤ記録媒体に個人の特徴を記録しておき，その特徴に応じたサービス内容を記録しておく一般個人サービス記憶部1005と、前記個人サービス情報記憶部1004及び一般個人サービス記憶部1005の内容が新規追加又は既存の記憶内容が変更された場合に、対応するエレベーターに対しサービス情報を送信する指令を前記データ送受信部1001に発するデータ送信解析部1003を有している。
【００１８】
新たな建物内のエレベーターに対し新しいサービスを提供してもらう場合は、携帯端末1100から暗証コードを送信し、暗証コードが予め設定されている複数桁の数列と一致したと暗証コードチェック部1002と判断されると、その後携帯端末1100から送信される新規の個人サービス情報を個人サービス情報記憶部1004に記憶し、データ送信解析部1003にて新しいデータが追加されたと判断し、データ送受信部1001から対応するエレベーターに前記サービス情報を送信する。
【００１９】
また，新しいエレベーターが設置された場合，ＩＤ記録媒体600に記録された個人の特徴に対する一般サービス情報をそのエレベーターに対し情報送信するようデータ送信解析部1003がデータ送受信部1001に指令し、前記の新しいエレベーターに対して一般サービス情報のデータを送信する。
【００２０】
また、予めＩＤ端末に記憶されている個人の身体的特徴に応じた新しいサービスを提供する場合、そのサービス内容を対応する全てのエレベーターに対しデータ送信するようデータ送信解析部1003がデータ送受信部1001に指令し、対応する全てのエレベーターに対し新しいサービスデータ情報を送信する。
【００２１】
次に上記実施形態の動作を図１から図３を参照して説明する。
エレベーター利用者が携帯し、利用者を特定するＩＤ記録媒体から、利用者を特定してエレベーターの利用者の望むサービスが、一つの建物内に設置されているエレベーターに限定されず、また、同一のＩＤ記録媒体でも、各々のエレベーターで異なるサービスを利用者に提供可能な個人認証方法等は、次に説明するような構成で行う。
【００２２】
ユーザー（利用者）500は、携帯端末1100により、ユーザー500が携帯所持している利用者を特定可能なＩＤ記録媒体600に記録されているＩＤ情報及び希望するサービス内容並びにそのサービスを受けたいエレベーターの情報を、決められた複数桁からなる暗証コードと共に通信回線を介して、管制センタ100内に設置してある個人サービス情報管理装置1000に送信する。
【００２３】
個人サービス情報管理装置1000は、内部に有するデータ送受信部1001にて、前記携帯端末1100から送信されてきた複数桁からなる暗証コード、ＩＤ情報及び希望するサービス内容並びにそのサービスを受けたいエレベーター情報を受信する。
その後、暗証コードチェック部1002にて、前記データ送受信部1001にて受信した複数桁からなる暗証コードが、予め設定されている複数桁からなる数列と一致しているかをチェックする。
【００２４】
チェックした結果、不一致と判断した場合は何もしない。一致と判断した場合は、暗証コードの後に受信した前記ＩＤ情報及び前記希望するサービス内容並びに前記そのサービスを受けたいエレベーターの情報に対にして、個人サービス情報記憶部1004に記憶する。
記憶された後は、個人サービス情報管理装置1000内に有するデータ送信解析部1003にて、既存の記憶内容に対し、新規情報が追加されたと判断し、データ送受信部1001へ対応するエレベーターの個人情報装置へデータを送信するよう指令する。
【００２５】
今、前記ユーザー（利用者）500が、建物200内に設置されているエレベーターに対しては、玄関階からエレベーターを利用する場合は常に５階の行先階登録を行うサービスを希望し、建物300内に設置されているエレベーターに対しては、玄関階からエレベーターを利用する場合は常に６階の行先階登録を行い、且つ直行運転のサービスを希望した場合、データ送信解析部1003は建物200内に設置されているエレベーター機械室201内のエレベーターの個人情報制御装置2200に対し、通信回線を介して、前記ユーザー500のＩＤ情報と玄関階からエレベーターを利用する場合は常に５階の行先階登録を行うサービス情報を送信する。
【００２６】
エレベーター機械室201内のエレベーターの個人情報制御装置2200はその内部に有するデータ受信部2203にて、送信された前記情報を受信し、前記ユーザー500のＩＤ情報と玄関階からエレベーターを利用する場合は常に５階の行先階登録を行うサービスを対にして、個人サービス記憶部2202に記録する。
【００２７】
また，建物300内に設置されているエレベーター機械室301内のエレベーターの個人情報制御装置は図２と同様の構成であり，前記データ送信解析部1003は建物300内に設置されているエレベーター機械室301内のエレベーターの個人情報制御装置にも同様に、前記ユーザー500のＩＤ情報と玄関階からエレベーターを利用する場合は常に６階の行先階登録を行い、且つ直行運転のサービスを対にして記憶する。ユーザー500が前記ＩＤ情報を記憶したＩＤ記録媒体600を持参し、建物200内に入館し、エレベーターの乗り場に設置されているＩＤ情報読取り装置203に、前記ＩＤ情報を読み取らせると、ＩＤ情報読取り装置203は、ＩＤ情報を通信線204を介して，エレベーターの個人情報制御装置2200内の個人情報判定部2204に送信する。個人情報判定部2204は、個人サービス記憶部2202に記憶されているＩＤ情報と照合し、一致した場合はそのＩＤ情報と対にして記憶されているサービス情報をエレベーター制御情報としてエレベーター制御盤2100に信号線2001を介して送信するよう指令送信部2201に指令する。
【００２８】
指令送信部2201は、前記エレベーター制御情報を前記信号線2001を介してエレベーター制御盤2100内の個人サービス制御部2102に送信する。エレベーター制御盤2100は指令送信部2201から送信されたエレベーター制御情報を個人サービス制御部2102にて受信すると、前記エレベーター制御情報をエレベーター制御部2101にて解析し，エレベーターを制御する。これにより乗りかご202は、玄関階に呼寄せられ、到着と同時に５階の行先階呼び登録を行う。ユーザー500は玄関階に到着した乗りかご202に乗り込むと既に５階の行先階呼びが登録されているため、他は何もしなくて良い。
【００２９】
また，同様にユーザー500が、前記ＩＤ情報を記憶したＩＤ記録媒体600を携帯し、建物300に入館し、エレベーターの乗り場に設置されているＩＤ情報読取り装置303に、前記ＩＤ記録媒体に記録された情報を読み取らせると、建物200内と同様の処理で、エレベーターを制御する。
【００３０】
乗りかご302は玄関階に呼寄せられ、到着と同時に６階の行先階呼び登録を行う。ユーザー500は、玄関階に到着した乗りかご302に乗り込むと、既に６階の行先階呼びが登録されており、且つ目的階である６階に到着するまでは他の乗り場で作成された呼び登録に乗りかごは反応しない。
【００３１】
また、ユーザー500が登録可能なサービス内容に制限はなく、更に、携帯端末（携帯電話）1100にて、従来サービスを受けていたエレベーターに対するサービス内容の変更、取消し及び追加は自由に可能であり、また、他のエレベーターに対するサービス内容の変更又は追加も自由に可能である。
【００３２】
次に上記実施形態の動作を例に図１、図２及び図３を参照して説明する。
ユーザー（利用者）500が形態所持する、利用者を特定可能なＩＤ記録媒体600には、ユーザー500の身体的特徴が記憶されており、また、管制センタ100内に設置されている個人サービス情報管理装置1000は、ユーザー500の身体的特徴（例えば、目が不自由、車椅子を利用している）に対するエレベーターのサービス内容が記憶されている一般サービス情報記憶部1005を有している。
【００３３】
前記個人サービス情報管理装置1000は、ＩＤ情報読取り装置が設置されている建物全てのエレベーター個人情報制御装置に対し、一定間隔で前記身体的特徴とサービス情報を送信するようデータ送信解析部1003が、データ送受信部1001に指令を発し、データ送受信部1001は指令されたエレベーター個人情報制御装置に前記特徴及びサービス情報を送信する。建物200を例に挙げると，前記個人サービス情報管理装置1000から送信された前記特徴及びサービス情報は、エレベーターの個人情報制御装置2200内のデータ受信部2203にて受信される。受信した情報は一般サービス記憶部2205に前記特徴とサービス情報とを対にして記憶する。同様に建物300・・n00にも前記特徴及びサービス情報が個人サービス情報管理装置1000より送信され、各々のエレベーター個人情報制御装置内の一般サービス記憶部に前記特徴とサービス情報とを対にして記憶される。
【００３４】
今、個人サービス情報管理装置1000内の一般サービス情報記憶部1005に「目が不自由な人」という身体的特徴と「音声ガイダンスを有効にする」というサービス情報が対に記憶され、また、「車椅子を利用している人」という身体的特徴と「ドア開時間を通常より長くする」というサービス情報が対に記憶されており、この情報が建物200及び300・・・n00に送信され、各々のエレベーターの個人情報制御装置内の一般サービス記憶部に記憶されているとする。また，ユーザー500が所持する利用者を特定可能なＩＤ記録媒体600に「目が不自由」及び「車椅子利用」という個人の身体的特徴が予め記憶されているとする。
【００３５】
この場合、ユーザー500が前記ＩＤ記録媒体600を携帯所持し、建物200内に入館し、エレベーターの乗り場に設置されているＩＤ情報読取り装置203に、前記個人（利用者）の身体的特徴情報を読み取らせると、ＩＤ情報読取り装置203は、身体的特徴情報を通信線204を介して、エレベーターの個人情報制御装置2200内の個人情報判定部2204に送信する。
【００３６】
個人情報判定部2204は、一般サービス記憶部2205に記憶されている身体的特徴情報と照合し、一致した場合はその特徴情報と対にして記憶されているサービス情報をエレベーター制御情報としてエレベーター制御盤2100に信号線2001を介して送信するよう指令送信部2201に指令する。指令送信部2201は前記エレベーター制御情報を前記信号線2001を介して、エレベーター制御盤内の個人サービス制御部2102に送信する。
【００３７】
エレベーター制御盤2100は、指令送信部2201から送信されたエレベーター制御情報を個人サービス制御部2102にて受信すると、前記エレベーター制御情報をエレベーター制御部2101にて解析し、エレベーターを制御する。乗りかご202は、玄関階に呼寄せられ、到着した際は、到着した旨音声ガイダンスし、乗りかご202はドア開時間を通常より延長させる。目的階に到着した際も目的階に到着した旨のガイダンスを行い、ドア開時間を通常より延長させる。
【００３８】
また、ユーザー500がその他の建物300・・・n00内のエレベーターを使用する際も、乗り場に設置されているＩＤ情報読取り装置303・・・n03に，前記個人の身体的特徴情報を読み取らせることで前記と同様のサービスを受けることができる。
【００３９】
また、個人の特徴に対するサービス内容に制限はなく、更に、従来のサービス内容の変更（取消しを含む。）又は新規サービスの追加は、携帯端末1100によりまたは個人サービス情報管理装置1000を管理している者が自由に設定可能である。
【図面の簡単な説明】
【００４０】
【図１】本発明の一実施例であるエレベーターの個人認証及び制御システムの全体構成を示す図である。
【図２】本発明の一実施例であるエレベーターに接続されるエレベーターの個人情報制御装置の内部構成及びエレベーターの制御部を示す図である。
【図３】図３は個人サービス情報管理装置の内部構成を示す図である。
【符号の説明】
【００４１】
100：管制センタ
200,300・・・n00：建物、                201,301・・・n01：エレベーター機械室
202,302・・・n02：乗りかご、            203,303・・・n03：ＩＤ情報読取り装置
500：ユーザー（利用者）、                600：ＩＤ記録媒体
1100：携帯端末、                        2100：エレベーター制御盤
2101：エレベーター制御部、              2102：個人サービス制御部
2001：信号線、                          2200：エレベーターの個人情報制御装置
2201：指令送信部、                      2202：個人サービス記憶部
2203：データ受信部、                    2204：個人情報判定部
2205：一般サービス記憶部、              204：通信線
1000：個人サービス情報管理装置、        1001：データ送受信部
1002：暗証コードチェック部、            1003：データ送信解析部
1004：個人サービス情報記憶部、          1005：一般サービス情報記憶部
【図１】
2006232479.tif 000003
【図２】
2006232479.tif 000004
【図３】
2006232479.tif 000005